(57)【要約】【課題】蓋体にパン原料を収納しておくパン原料収納容器が取り付けられる自動製パン器の使い勝手を良くする。【解決手段】自動製パン器は、本体に開閉可能に取り付けられる蓋体４０と、蓋体４０に取り付けられ、パンの製造途中でパン容器内に自動投入される一部のパン原料を収納しておくパン原料収納容器１１０と、を備える。パン原料収納容器１１０は、開口部１１１ａを有する容器本体１１１と、開口部１１１ａを開閉する容器蓋１１２と、を有し、蓋体４０には、容器蓋１１２の開き角度を規制するストッパー部４７が設けられている。【選択図】図１５
2012130498.tif 000002
【特許請求の範囲】
【請求項１】
パン原料が投入されるパン容器を本体内に受け入れて、パンの製造工程が実行される自動製パン器であって、
前記本体に開閉可能に取り付けられる蓋体と、
前記蓋体に取り付けられ、パンの製造途中で前記パン容器内に自動投入される一部のパン原料を収納しておくパン原料収納容器と、を備え、
前記パン原料収納容器は、開口部を有する容器本体と、前記開口部を開閉する容器蓋と、を有し、
前記蓋体には、前記容器蓋の開き角度を規制するストッパー部が設けられている、自動製パン器。
【請求項２】
前記容器蓋には、その周縁から外方に突出する把手部が設けられ、前記ストッパー部は、前記把手部に当接して前記容器蓋の開き角度を規制する、請求項１に記載の自動製パン器。
【請求項３】
前記蓋体には、前記パン原料収納容器が着脱される際にユーザの手指が入る空間が形成されており、前記ストッパー部は、前記空間内に形成されている、請求項１又は２に記載の自動製パン器。
【請求項４】
前記ストッパー部は、前記空間を形成する壁部から突出する略板状の突出部である、請求項３に記載の自動製パン器。
【請求項５】
前記略板状の突出部は、その一部の厚みが厚く形成されている、請求項４に記載の自動製パン器。
【請求項６】
前記パン原料収納容器は、前記蓋体に取り付けられない状態で、前記容器蓋の閉位置からの最大開き角度が９０°より大きい第１の角度となるように設けられ、前記ストッパー部は、前記容器蓋の閉位置からの開き角度が前記第１の角度よりも小さい第２の角度となるように前記容器蓋の開き角度を規制する、請求項１から５のいずれかに記載の自動製パン器。
【請求項７】
前記パン原料収納容器は、前記蓋体が閉じられた状態で、前記本体の背面寄りに取り付けられる、請求項１から６のいずれかに記載の自動製パン器。
【請求項８】
前記蓋体は、それが閉じられた状態で、前記本体の前面側から背面側に向かう方向に高さが高くなる傾斜構造を有する、請求項７に記載の自動製パン器。
【発明の詳細な説明】
【技術分野】
【０００１】
本発明は、主として一般家庭で使用される自動製パン器に関する。
【背景技術】
【０００２】
市販の家庭用自動製パン器は、パン原料を入れるパン容器をそのまま焼き型としてパンを製造する仕組みのものが一般的である（例えば、特許文献１参照）。このような自動製パン器では、まず、パン原料が入れられたパン容器が本体内の焼成室に入れられる。そして、パン容器内のパン原料がパン容器内に設けられる混練ブレードでパン生地に練り上げられる（練り工程）。その後、練り上げられたパン生地を発酵させる発酵工程が行われ、パン容器が焼き型として使用されてパンが焼き上げられる（焼成工程）。
【０００３】
このような自動製パン器を用いてパンの製造が行われる場合、これまでは、パン原料として、小麦や米などの穀物を製粉した粉（小麦粉、米粉等）や、そのような製粉した粉に各種の補助原料が混ぜられたミックス粉が必要とされた。しかしながら、一般家庭においては、米粒に代表されるように、粉の形態ではなく粒の形態で穀物が所持されることがある。このために、自動製パン器が穀物粒から直接パンを製造できるように構成されていれば、非常に便利である。このようなことを念頭において、本出願人らは、穀物粒を出発原料としてパンを製造するパンの製造方法を開発している（特許文献２参照）。
【０００４】
このパンの製造方法では、まず、穀物粒と液体とが混合され、この混合物の中で粉砕ブレードが回転されて穀物粒が粉砕される（粉砕工程）。そして、粉砕工程を経て得られたペースト状の粉砕粉を含むパン原料が、混練ブレードを用いてパン生地に練り上げられる（練り工程）。その後、練り上げられたパン生地を発酵させる発酵工程が行われ、続いてパンを焼き上げる焼成工程が行われる。
【先行技術文献】
【特許文献】
【０００５】
【特許文献１】特開２０００−１１６５２６号公報
【特許文献２】特開２０１０−３５４７６号公報
【特許文献３】特許第３１９１６４５号公報
【特許文献４】特開２００６−２５５０７１号公報
【発明の概要】
【発明が解決しようとする課題】
【０００６】
本出願人らは、上述した、穀物粒を出発原料としてパンを製造する方法を実行可能な、新しい仕組みを備えた自動製パン器の開発を行ってきた。その中で、本出願人らは、パン容器内で液体と混合された穀物粒を粉砕した後に、例えばドライイーストやグルテン等の粉体パン原料をパン容器内に自動投入できる自動製パン器を開発している。
【０００７】
粉体パン原料が自動投入される構成を採用するにあたって、レーズンやナッツ等を自動投入するための具材容器を備えた従来の自動製パン器（例えば特許文献３や４参照）と同様に、自動製パン器の蓋体に、粉体パン原料を収納するパン原料収納容器が取り付けられる構成とすることが考えられた。しかしながら、この構成を採用するにあたっては、次のような問題があった。
【０００８】
穀物粒を粉砕した後に投入される粉体パン原料（上述のドライイーストやグルテンの他に、例えば小麦粉や上新粉等も挙げられる）は嵩高くなる傾向があり、それを収容するためのパン原料収納容器は、その容積を大きくする必要がある。この場合に、パン原料収納容器の幅や奥行き（高さではない方向のサイズ）を大きくすることが考えられる。しかし、自動製パン器の蓋体には、本体（例えば焼成室）に収容されたパン容器内の状態を外から観察できるように覗き窓を設けるのが一般的であり、パン原料収納容器の幅や奥行きを大きくすると、覗き窓からパン容器内の状態を観察し難くなるといった問題が生じる。
【０００９】
一方で、パン原料収納容器の容積を稼ぐために、その高さ方向のサイズを大きくしようとすると、蓋体の厚みを厚くする必要がある。しかしながら、単純に蓋体の厚みを厚くすると、蓋体を開けた状態において本体背面側に必要とされる空間が大きくなってしまい、ユーザが使い勝手が悪いと感じる可能性があった。
【００１０】
このような点を考慮して、本出願人らは、自動製パン器の蓋体の構造として、蓋体が閉じられた状態で、本体の前面側から背面側に向かう方向に高さが高くなる傾斜構造を採用している。そして、蓋体が閉じられた状態で、前面寄りに覗き窓が設けられ、背面寄りにパン原料収納容器が収納されるように、本出願人らは蓋体を形成している。
【００１１】
このように構成すると、本体背面寄りでは蓋体の厚みが厚くなっているために、本体背面寄りに取り付けられるパン原料収納容器の高さを高くして、その容積を大きくすることができる。また、本体前面寄りに設けられる覗き窓は、蓋体が傾斜構造となっているために傾斜した状態となり、本体前面側から覗き窓を覗いた場合に、ユーザはパン容器の中心位置を見やすくなる。すなわち、ユーザはパンの製造中にパン容器内の観察を行い易い。また、蓋体が傾斜構造となっているために、蓋体が開かれた状態において、本体背面側に必要とされる空間の狭小化が図れる。
【００１２】
しかしながら、蓋体の背面寄りにパン原料収納容器を配置する上記構成が採用された場合に、次のような問題が発生することがわかった。パン原料収納容器の容器蓋が開かれて、パン容器に一部のパン原料が自動投入された後において、例えばパン原料収納容器のパン原料がきちんと投入されたか否かを確認する等の目的で、ユーザが自動製パン器の蓋体を開けることがある。このような場合に、ユーザが開いた蓋体を閉じようとした際に、パン原料収納容器の開いた容器蓋が、本体内に収容されるパン容器の一部に引っ掛かって、自動製パン器の蓋体を上手く閉められないことがあった。また、これにより、パン原料収納容器やパン容器に傷が付くといった問題があった。
【００１３】
そこで、本発明の目的は、蓋体にパン原料を収納しておくパン原料収納容器が取り付けられる自動製パン器の使い勝手を良くすることである。
【課題を解決するための手段】
【００１４】
上記目的を達成するために本発明の自動製パン器は、パン原料が投入されるパン容器を本体内に受け入れて、パンの製造工程が実行される自動製パン器であって、前記本体に開閉可能に取り付けられる蓋体と、前記蓋体に取り付けられ、パンの製造途中で前記パン容器内に自動投入される一部のパン原料を収納しておくパン原料収納容器と、を備え、前記パン原料収納容器は、開口部を有する容器本体と、前記開口部を開閉する容器蓋と、を有し、前記蓋体には、前記容器蓋の開き角度を規制するストッパー部が設けられている。
【００１５】
本構成によれば、蓋体にパン原料収納容器の容器蓋の開き角度を規制するストッパー部が設けられている。このために、パン原料収納容器の容器蓋を開いた状態で自動製パン器の蓋体を開け、その後に蓋体を閉める場合に、パン原料収納容器の容器蓋が本体内に収容されるパン容器の一部に接触しないようにできる。
【００１６】
上記構成の自動製パン器において、前記容器蓋には、その周縁から外方に突出する把手部が設けられ、前記ストッパー部は、前記把手部に当接して前記容器蓋の開き角度を規制することとしてもよい。本構成によれば、パン原料収納容器の容器蓋に外方に向けて突出する把手部が設けられているために、パン原料収納容器へのパン原料の収納作業が容易になる。そして、ストッパー部は、この把手部を利用して容器蓋の開き角度を規制するようになっているために、その形状の簡素化を図り易い。
【００１７】
上記構成の自動製パン器において、前記蓋体には、前記パン原料収納容器が着脱される際にユーザの手指が入る空間が形成されており、前記ストッパー部は、前記空間内に形成されていることとしてもよい。本構成によれば、別の理由で設けられた空間を利用してストッパー部を設ける構成であり、ストッパー部を設けたために自動製パン器の蓋体が大型化するといった事態が避けられる。
【００１８】
上記構成の自動製パン器において、前記ストッパー部は、前記空間を形成する壁部から突出する略板状の突出部であることとしてもよい。このように構成すれば、ストッパー部が、パン原料収納容器が蓋体に取り付けられる際に邪魔となる事態を避けることができる。そして、この構成においては、前記略板状の突出部は、その一部の厚みが厚く形成されていることとしてもよい。これにより、ストッパー部は、小型なものであるとともに、強度の強いものとできる。
【００１９】
上記構成の自動製パン器において、前記パン原料収納容器は、前記蓋体に取り付けられない状態で、前記容器蓋の閉位置からの最大開き角度が９０°より大きい第１の角度となるように設けられ、前記ストッパー部は、前記容器蓋の閉位置からの開き角度が前記第１の角度よりも小さい第２の角度となるように前記容器蓋の開き角度を規制する、こととしてもよい。
【００２０】
本構成によれば、パン原料収納容器にパン原料を収納する作業が行い易い。そして、この作業性の良さと、自動製パン器の蓋体の開閉時における不具合（上述した、パン原料収納容器の容器蓋を開いた状態で自動製パン器の蓋体を開け閉めする際の不具合）の解消との両立が本構成では図れる。
【００２１】
上記構成の自動製パン器において、前記パン原料収納容器は、前記蓋体が閉じられた状態で、前記本体の背面寄りに取り付けられることとしてもよい。また、この構成において、前記蓋体は、それが閉じられた状態で、前記本体の前面側から背面側に向かう方向に高さが高くなる傾斜構造を有することとしてもよい。このような構成の自動製パン器に、本発明は好適である。
【発明の効果】
【００２２】
本発明によると、蓋体にパン原料を収納しておくパン原料収納容器が取り付けられる自動製パン器の使い勝手が良くなる。また、本発明は、穀物粒を出発原料としてパンを製造することができる自動製パン器に好適である。このため、本発明によれば、家庭でのパン製造をより身近なものとして、家庭でのパン作りが盛んになることが期待できる。
【図面の簡単な説明】
【００２３】
【図１】本実施形態の自動製パン器の外観構成を示す概略斜視図
【図２】本実施形態の自動製パン器の本体内部の構成を説明するための模式図
【図３】本実施形態の自動製パン器が備える第１の動力伝達部に含まれるクラッチについて説明するための図
【図４】本実施形態の自動製パン器における、パン容器が収容された焼成室及びその周辺の構成を模式的に示す図
【図５】本実施形態の自動製パン器が備えるブレードユニットの構成を示す概略斜視図
【図６】本実施形態の自動製パン器が備えるブレードユニットの構成を示す概略分解斜視図
【図７】本実施形態の自動製パン器が備えるブレードユニットの構成を示す概略側面図及び概略断面図
【図８】本実施形態の自動製パン器が備えるブレードユニットを下から見た場合の概略平面図（ガードが取り外された場合の図）
【図９】本実施形態の自動製パン器が備えるブレードユニットの動作を説明するための図で、パン容器を上から見た場合の図
【図１０】本実施形態の自動製パン器が備えるパン原料収納容器の構成を示す概略斜視図
【図１１】図１０（ａ）のＢ−Ｂ位置における概略断面図
【図１２】本実施形態の自動製パン器が備えるパン原料収納容器にパン原料が投入される場合の、パン原料収納容器の姿勢を示す概略断面図
【図１３】本実施形態の自動製パン器のパン原料収納容器が取り付けられる蓋の構成を示す概略図
【図１４】図１３（ｂ）のＣ−Ｃ位置における概略断面図
【図１５】図１３（ｂ）のＤ−Ｄ位置における概略断面図
【図１６】図１３（ｂ）の破線の楕円で囲まれた部分の、パン原料収納容器を取り除いた場合の概略平面図
【図１７】本実施形態の自動製パン器の蓋に設けられるストッパー部の概略側面図
【図１８】本実施形態の自動製パン器の構成を示すブロック図
【図１９】本実施形態の自動製パン器によって実行される米粒用製パンコースの流れを示す模式図
【発明を実施するための形態】
【００２４】
以下、本発明の自動製パン器の実施形態について、図面を参照しながら詳細に説明する。なお、本明細書に登場する具体的な時間、温度、角度等はあくまでも例示であり、それらは本発明の内容を限定するものではない。
（自動製パン器の構成）
図１は、本実施形態の自動製パン器の外観構成を示す概略斜視図で、図１（ａ）は蓋が閉じられた状態、図１（ｂ）は蓋が開かれた状態を示している。図１に示すように、自動製パン器１の本体１０（その外殻は例えば金属や合成樹脂等によって形成される）の上面の一部には、操作部２０が設けられている。この操作部２０は、操作キー群と、時間、操作キー群によって設定された内容、エラー等を表示する表示部と、によって構成されている。操作キー群には、例えば、スタートキー、取り消しキー、タイマーキー、予約キー、パンの製造コース（米粒を出発原料に用いてパンを製造するコース、米粉を出発原料に用いてパンを製造するコース、小麦粉を出発原料に用いてパンを製造するコース等）を選択する選択キー等が含まれる。表示部は、例えば、液晶表示パネル等によって構成される。
【００２５】
本体１０内部には、詳細は後述するパン容器８０が収容される焼成室３０が設けられている。この焼成室３０は、例えば板金からなる底壁３０ａ及び４つの側壁３０ｂ（後述の図４も参照）で構成された平面視略矩形の箱形状の部屋であり、その上面に開口を有する。この焼成室３０は、本体１０上部に設けられる蓋４０（本発明の蓋体の一例）によって開閉可能となっている。蓋４０は、図示しない蝶番軸で本体１０の背面側に取り付けられており、その蝶番軸を支点として回動することで、焼成室３０の開閉が可能になっている。
【００２６】
この蓋４０には、焼成室３０内を覗けるように、例えば耐熱ガラスからなる覗き窓４１が設けられている。また、蓋４０には、その下面側からパン原料収納容器１１０が着脱自在に取り付けられるようになっている。このパン原料収納容器１１０は、パンの製造工程の途中で一部のパン原料を自動投入することを可能にするものである。なお、図１（ｂ）は、蓋４０にパン原料収納容器１１０が取り付けられた状態を示しており、更に詳細には、パン原料収納容器１１０の容器蓋が開いた状態を示している。パン原料収納容器１１０の詳細な構造については後述する。
【００２７】
また、蓋４０は、それが閉じられた状態において、その上面の略全体が本体１０の前面側から背面側に向けて高くなる傾斜構造を有している（図１（ａ）参照）。このために、蓋４０が閉じられた状態において、本体１０前面寄りに配置される覗き窓１０から焼成室３０に収容されるパン容器８０内の様子が観察し易くなっている。また、蓋４０が閉じられた状態において、本体１０の背面寄りに取り付けられるパン原料収納容器１１０は、蓋４０の厚みが厚い部分に配置されることになるため、その高さを高くして大きな容積を稼げるようになっている。
【００２８】
図２は、本実施形態の自動製パン器の本体内部の構成を説明するための模式図である。図２は、自動製パン器１を上側から見た場合が想定されており、図の下側が自動製パン器１の前面（正面）側、図の上側が背面側である。図２に示すように、自動製パン器１には、焼成室３０の右横に練り工程で用いられる低速・高トルクタイプの混練モータ５０が固定配置され、焼成室３０の後ろ側に粉砕工程で用いられる高速回転タイプの粉砕モータ６０が固定配置されている。混練モータ５０及び粉砕モータ６０はいずれも竪軸である。
【００２９】
混練モータ５０の上面から突出する出力軸５１には第１のプーリ５２が固定される。この第１のプーリ５２は、第１のベルト５３によって、その径が第１のプーリ５２よりも大きく形成されるとともに第１の回転軸５４の上部側に固定される第２のプーリ５５に連結されている。第１の回転軸５４の下部側には、その回転中心が第１の回転軸５４とほぼ同一となるように第２の回転軸５７が設けられている（後述の図３も参照）。なお、第１の回転軸５４及び第２の回転軸５７は、本体１０内部に回転可能に支持されている。また、第１の回転軸５４と第２の回転軸５７との間には、動力伝達と動力遮断を行うクラッチ５６が設けられている（後述の図３も参照）。このクラッチ５６の構成については後述する。
【００３０】
第２の回転軸５７の下部側には第３のプーリ５８が固定されている（後述の図３も参照）。第３のプーリ５８は、第２のベルト５９によって、焼成室３０の下部側に設けられるとともに原動軸１１に固定される第１の原動軸用プーリ１２（第３のプーリ５８とほぼ同一の径を有する）に連結されている（後述の図３も参照）。混練モータ５０自身が低速・高トルクタイプであり、その上、第１のプーリ５２の回転が第２のプーリ５５によって減速回転される（例えば１／５の速度に減速される）。このため、クラッチ５６が動力伝達を行う状態で混練モータ５０を駆動すると、原動軸１１は低速（例えば１８０ｒｐｍ程度）・高トルクで回転する。
【００３１】
なお、第１のプーリ５２、第１のベルト５３、第１の回転軸５４、第２のプーリ５５、クラッチ５６、第２の回転軸５７、第３のプーリ５８、第２のベルト５９、及び第１の原動軸用プーリ１２で構成される動力伝達部のことを、以下では、第１の動力伝達部ＰＴ１と表現することがある。
【００３２】
粉砕モータ６０の下面から突出する出力軸６１には、第４のプーリ６２が固定されている。この第４のプーリ６２は、第３のベルト６３によって、原動軸１１に固定される第２の原動軸用プーリ１３（第１の原動軸用プーリ１２より下側で固定される；後述の図３参照）に連結されている。第２の原動軸用プーリ１３は第４のプーリ６２とほぼ同一の径を有する。粉砕モータ６０には高速回転可能なものが選定される。そして、第４のプーリ６２の回転は第２の原動軸用プーリ１３においてほぼ同一速度で維持されるために、粉砕モータ６０の高速回転により、原動軸１１は高速回転（例えば７０００〜８０００ｒｐｍ）を行う。
【００３３】
なお、第４のプーリ６２、第３のベルト６３、及び第２の原動軸用プーリ１３で構成される動力伝達部のことを、以下では、第２の動力伝達部ＰＴ２と表現することがある。第２の動力伝達部ＰＴ２は、クラッチを有さない構成であり、粉砕モータ６０の出力軸６１と原動軸１１とを常時動力伝達可能に連結する。
【００３４】
図３は、本実施形態の自動製パン器が備える第１の動力伝達部に含まれるクラッチについて説明するための図である。図３は、図２の矢印Ｘ方向に沿って見た場合を想定した図である。なお、図３（ａ）はクラッチ５６が動力遮断を行う状態を示し、図３（ｂ）はクラッチ５６が動力伝達を行う状態を示す。
【００３５】
図３に示すように、クラッチ５６は、第１のクラッチ部材５６１と第２のクラッチ部材５６２とを有する。そして、第１のクラッチ部材５６１に設けられる爪５６１ａと、第２のクラッチ部材５６２に設けられる爪５６２ａとが噛み合う場合（図３（ｂ）の状態）に、クラッチ５６は動力伝達を行う。また、２つの爪５６１ａ、５６２ｂが噛み合わない場合（図３（ａ）の状態）に、クラッチ５６は動力遮断を行う。すなわち、クラッチ５６は噛み合いクラッチとなっている。
【００３６】
なお、本実施形態では、２つのクラッチ部材５６１、５６２のそれぞれには、周方向（第１のクラッチ部材５６１を下から平面視した場合、或いは、第２のクラッチ部材５６２を上から平面視した場合を想定）にほぼ等間隔に並ぶ６つの爪５６１ａ、５６２ａが設けられているが、この爪の数は適宜変更してもよい。また、爪５６１ａ、５６２ａの形状は、好ましい形状を適宜選択すればよい。
【００３７】
第１のクラッチ部材５６１は、抜け止め対策を施された上で、第１の回転軸５４に、その軸方向（図３において上下方向）に摺動可能、且つ、相対回転不能に取り付けられている。第１の回転軸５４の第１のクラッチ部材５６１の上部側には、バネ７１が遊嵌されている。このバネ７１は、第１の回転軸５４に設けられるフランジ部５４ａと第１のクラッチ部材５６１とに挟まれるように配置されており、第１のクラッチ部材５６１を下側に向けて付勢している。一方、第２のクラッチ部材５６２は、第２の回転軸５７の上端に固定されている。
【００３８】
クラッチ５６における、動力伝達状態と動力遮断状態との切り替えは、下位置と上位置とに選択配置可能なアーム部７２を用いて行われる。アーム部７２は、その一部が第１のクラッチ部材５６１の下側に配置され、第１のクラッチ部材５６１の外周側と当接可能となっている。
【００３９】
アーム部７２の駆動は、クラッチ用ソレノイド７３を用いて行われる。クラッチ用ソレノイド７３は、永久磁石７３ａを備え、いわゆる自己保持型のソレノイドとなっている。クラッチ用ソレノイド７３のプランジャー７３ｂは、アーム部７２のプランジャー固定用の取付部７２ａに固定される。このために、電圧の印加によりハウジング７３ｃからの突出量が変動するプランジャー７３ｂの動きに合わせてアーム部７２が動く。
【００４０】
アーム部７２が下位置（図３（ｂ）の状態）から上位置（図３（ａ）の状態）に移動すると、第１のクラッチ部材５６１は、アーム部７２に押されてバネ７１の付勢力に抗して上方向に移動する。アーム部７２が上位置にある場合には、第１のクラッチ部材５６１と第２のクラッチ部材５６２とは噛み合わない。すなわち、アーム部７２が上位置にある場合には、クラッチ５６は動力遮断を行う。
【００４１】
一方、アーム部７２が上位置から下位置に移動すると、第１のクラッチ部材５６１はバネ７１の付勢力によって押される形で下方向に移動する。アーム部７２が下位置にある場合には、第１のクラッチ部材５６１と第２のクラッチ部材５６２とは噛み合う。すなわち、アーム部７２が下位置にある場合には、クラッチ５６は動力伝達を行う。
【００４２】
粉砕モータ６０を駆動する際に、クラッチ５６が動力伝達を行う状態（図３（ｂ）の状態）であると、原動軸１１を高速回転させる回転動力が混練モータ５０の出力軸５１に伝達される（図２参照）。この場合、第１のプーリ５２と第２のプーリ５５との半径比（例えば１：５）によって、混練モータ５０の出力軸５１を高速（例えば４００００ｒｐｍ等）で回転させる力が必要になる。その結果、粉砕モータ６０に非常に大きな負荷が加わり、粉砕モータ６０が破損する可能性がある。このような事態を避けるために、自動製パン器１は、動力伝達と動力遮断を行うクラッチ５６を第１の動力伝達部ＰＴ１に含む構成となっている。
【００４３】
なお、上述のように自動製パン器１においては、第２の動力伝達部ＰＴ２にはクラッチが設けられない構成としているが、これは次の理由による。すなわち、混練モータ５０を駆動しても原動軸１１は低速回転（例えば１８０ｒｐｍ等）されるのみである。このため、原動軸１１を回転させる回転動力が粉砕モータ６０の出力軸に伝達されるようになっていても、混練モータ５０に大きな負荷が加わることはない。そして、このように第２の動力伝達部ＰＴ２にクラッチが設けられない構成を敢えて採用することで、自動製パン器１の製造コストが抑制される。ただし、第２の動力伝達部ＰＴ２にクラッチが設けられる構成を採用しても、勿論構わない。
【００４４】
図４は、本実施形態の自動製パン器における、パン容器が収容された焼成室及びその周辺の構成を模式的に示す図である。図４は、自動製パン器１を前面（正面）側から見た場合の構成を想定しており、焼成室３０及びパン容器８０の構成は概ね断面図で示されている。なお、パン原料が投入されるとともにパン焼き型として使用されるパン容器８０は、焼成室３０に対して出し入れ自在となっている。
【００４５】
図４に示すように、焼成室３０の内部には、シーズヒータ３１（加熱手段の一例）が焼成室３０に収容されたパン容器８０を包囲するように配置されている。このシーズヒータ３１を用いることにより、パン容器８０内のパン原料やパン生地の加熱が可能になる。
【００４６】
図４を参照して、焼成室３０の底壁３０ａの略中心にあたる箇所には、パン容器８０を支持するパン容器支持部１４（例えばアルミニウム合金のダイキャスト成型品からなる）が固定されている。このパン容器支持部１４は、焼成室３０の底壁３０ａから窪むように形成され、その窪みの形状は上から見た場合に略円形となっている。このパン容器支持部１４の中心には、上述の原動軸１１が底壁３０ａに対して略垂直となるように支持されている。原動軸１１の上端には、本体側接続部１１ａが固定されている。
【００４７】
パン容器８０は例えばアルミニウム合金のダイキャスト成型品（その他、板金等で構成しても構わない）であり、バケツのような形状をしており、開口部側縁に設けられる鍔部８０ａに手提げ用のハンドル（図示せず）が取り付けられている。パン容器８０の水平断面は四隅を丸めた矩形である。また、パン容器８０の底部には、詳細は後述するブレードユニット９０の一部を収容する平面視略円形状の凹部８１が形成されている。
【００４８】
パン容器８０の底部中心には、垂直方向に延びるブレード回転軸８２が、シール対策を施された状態で回転可能に支持されている。このブレード回転軸８２の下端（パン容器８０の底部から外部側に突き出ている）には、容器側接続部８２ａが固定されている。
【００４９】
また、パン容器８０の底部外面側には、ブレード回転軸８２を取り囲むように筒状の台座８３が設けられている。パン容器８０は、この台座８３がパン容器支持部１４に受け入れられた状態で、焼成室３０内に収容されるようになっている。なお、台座８３は、パン容器８０とは別に形成してもよいし、パン容器８０と一体的に形成してもよい。
【００５０】
パン容器８０の台座８３がパン容器支持部１４に受け入れられた状態で、パン容器８０が焼成室３０内に収容されると、ブレード回転軸８２の下端に設けられる容器側接続部８２ａと、原動軸１１の上端に固定される本体側接続部１１ａとの連結が得られるようになる。そして、これにより、ブレード回転軸８２は原動軸１１から回転動力を伝えられるようになる。すなわち、本体側接続部１１ａと容器側接続部８２ａとはカップリングを構成する。
【００５１】
ブレード回転軸８２のパン容器８０内部に突出する部分には、その上からブレードユニット９０が着脱可能に取り付けられるようになっている。このブレードユニット９０の構成について、図５から図９を参照しながら説明する。
【００５２】
なお、図５は、本実施形態の自動製パン器が備えるブレードユニットの構成を示す概略斜視図である。図６は、本実施形態の自動製パン器が備えるブレードユニットの構成を示す概略分解斜視図である。図７は、本実施形態の自動製パン器が備えるブレードユニットの構成を示す図で、図７（ａ）は概略側面図、図７（ｂ）は図７（ａ）のＡ−Ａ位置における断面図である。図８は、本実施形態の自動製パン器が備えるブレードユニットを下から見た場合の概略平面図で、図８（ａ）は混練ブレードが折り畳み姿勢にある場合の図、図８（ｂ）は混練ブレードが開き姿勢にある場合の図である。図８においては、後述のガードが取り外された状態を示している。図９は、本実施形態の自動製パン器が備えるブレードユニットの動作を説明するための図で、パン容器を上から見た場合の図である。図９（ａ）は混練ブレードが折り畳み姿勢にある場合の図、図９（ｂ）は混練ブレードが開き姿勢にある場合の図である。
【００５３】
ブレードユニット９０は、大きくは、ユニット用シャフト９１と、ユニット用シャフト９１に相対回転不能に取り付けられる粉砕ブレード９２と、ユニット用シャフト９１に相対回転可能且つ粉砕ブレード９２を上から覆うように取り付けられる平面視略円形のドーム状カバー９３と、ドーム状カバー９３に相対回転可能に取り付けられる混練ブレード１０１と、ドーム状カバー９３に取り付けられ、粉砕ブレード９２を下から覆うガード１０６と、を備える構成となっている（例えば、図５〜図７参照）。
【００５４】
なお、ブレードユニット９０がブレード回転軸８２に取り付けられた状態において、粉砕ブレード９２は、パン容器８０の凹部８１底面より少し上の箇所に位置する。また、粉砕ブレード９２及びドーム状カバー９３のほぼ全体は凹部８１に収容される（例えば図４参照）。
【００５５】
ユニット用シャフト９１は、例えばステンレス鋼板等の金属によって形成される略円柱状の部材であり、一方端（下端）に開口が設けられ、その内部は中空となっている。すなわち、ユニット用シャフト９１は、下端からブレード回転軸８２を挿入できるように、挿入孔９１ｂが形成された構成となっている（例えば図７（ｂ）参照）。
【００５６】
また、ユニット用シャフト９１の側壁の下部側（開口側）には、ユニット用シャフト９１の回転中心を挟んで対称配置される一対の切り欠き部９１ａが形成されている（例えば図６参照。ただし、図６では一対の切り欠き部９１ａの一方のみが示される）。この切り欠き部９１ａは、ブレード回転軸８２を水平に貫くピン８２１（図７（ｂ）参照）に係合させるために設けられている。ブレード回転軸８２のピン８２１と、切り欠き部９１ａとが係合することによって、ユニット用シャフト９１はブレード回転軸８２に相対回転不能に取り付けられた状態になる。
【００５７】
穀物粒粉砕用の粉砕ブレード９２は、例えばステンレス鋼板を加工することによって形成される。この粉砕ブレード９２は、例えば図６に示すように、第１の切削部９２１と、第２の切削部９２２と、第１の切削部９２１と第２の切削部９２２とを連結する連結部９２３と、を備える。連結部９２３の中央部には、平面視略矩形状（スタジアム形状）の開口９２３ａが形成されている。この開口９２３ａにユニット用シャフト９１の下部側が嵌め込まれる形で、粉砕ブレード９２はユニット用シャフト９１に取り付けられる。
【００５８】
なお、ユニット用シャフト９１の下部側には、側面の一部（切り欠き部９１ａが設けられる位置近傍）を削って平坦面が形成されている。これにより、ユニット用シャフト９１を下から平面視した場合に、ユニット用シャフト９１の下部側は、連結部９２３に設けられる開口９２３ａとほぼ同形状（略矩形状）となっている。ユニット用シャフト９１の下部側を平面視した場合の面積は、開口９２３ａより、ほんの僅かだけ小さくなっている。このような形状を採用しているために、粉砕ブレード９２はユニット用シャフト９１に相対回転不能に取り付けられる。粉砕ブレード９２の下部側には抜け止め用のストッパー部材９４がユニット用シャフト９１に嵌め込まれるために、粉砕ブレード９２がユニット用シャフト９１から脱落することはない。
【００５９】
粉砕ブレード９２を囲んで覆い隠すように配置されるドーム状カバー９３は、例えばアルミニウム合金のダイキャスト成型品からなり、その内面側には、ベアリング９５（本実施形態では転がり軸受けを使用している）を収容する凹状の収容部９３１（図７（ｂ）参照）が形成されている。換言すると、この収容部９３１を形成するために、ドーム状カバー９３は、それを外面から見た場合に、中央部に略円柱状の凸部９３ａが形成された構成となっている。なお、凸部９３ａには開口が形成されておらず、収容部９３１に収容されるベアリング９５はその側面及び上面が収容部９３１の壁面に囲い込まれた状態となっている。
【００６０】
ベアリング９５は上下に抜け止めリング９６ａ、９６ｂが配置された状態で、その内輪９５ａがユニット用シャフト９１に相対回転不能に取り付けられている（内輪９５ａ内側の貫通孔にユニット用シャフト９１が圧入されている）。また、ベアリング９５は、その外輪９５ｂの外壁が収容部９３１の側壁に固定されるように、収容部９３１に圧入されている。このベアリング９５（内輪９５ａが外輪９５ｂに対して相対回転する）の介在によって、ドーム状カバー９３はユニット用シャフト９１に相対回転可能に取り付けられている。
【００６１】
また、ドーム状カバー９３の収容部９３１には、外部からベアリング９５内に異物（例えば穀物粒の粉砕時に用いられる液体や粉砕により得られたペースト状物等）が入り込まないように、例えばシリコン系或いはフッ素系の材料によって形成されるシール材９７及び、このシール材９７を保持する金属製のシールカバー９８が、ベアリング９５の下部側から圧入されている。シールカバー９８は、ドーム状カバー９３への固定が確実となるように、リベット９９によってドーム状カバー９３に固着されている。このリベット９９による固定は行わなくてもよいが、確実な固定を得るために、本実施形態のように構成するのが好ましい。
【００６２】
ドーム状カバー９３の外面には、凸部９３ａに隣接する箇所に垂直方向に延びるように配置される支軸１００（図６参照）を用いて、平面形状「く」の字形の混練ブレード１０１（例えばアルミニウム合金のダイキャスト成型品からなる）が取り付けられている。混練ブレード１０１は、支軸１００に相対回転不能に取り付けられており、ドーム状カバー９３に相対回転可能に取り付けられる支軸１００と動きを共にする。換言すると、混練ブレード１０１は、ドーム状カバー９３に対して相対回転可能に取り付けられた構成となっている。
【００６３】
混練ブレード１０１は、支軸１００と共に支軸１００の軸線周りに、一定の範囲内だけ回転可能となっている。図５、図７、図８（ａ）及び図９（ａ）に示す折り畳み姿勢は、混練ブレード１０１が回転可能な範囲の一端にある場合に該当する。また、図８（ｂ）及び図９（ｂ）に示す開き姿勢は、混練ブレード１０１が回転可能な範囲の他端にある場合に該当する。
【００６４】
混練ブレード１０１の先端側近傍の一方面には、図５〜図９に示すように緩衝材１０７が取り付けられている。緩衝材１０７は、混練ブレード１０１の先端から僅かに突出するように設けられている（例えば図８（ｂ）参照）。緩衝材１０７の固定は、混練ブレード１０１の一方面と固定用板１０８とで緩衝材１０７を挟持した状態とし、混練ブレード１０１の他方面側から挿入されるリベット１０９のカシメで得られる構成となっている。
【００６５】
この緩衝材１０７は、混練ブレード１０１が開き姿勢となった場合に、パン容器８０（の内壁）と直接接触しないように配置されている。混練ブレード１０１とパン容器８０とが直接接触すると、それらの間の干渉が原因となって破損が発生する可能性があり、このような破損を防止すべく緩衝材１０７は設けられている。また、緩衝材１０７は防音対策としても機能する。なお、以下では、この緩衝材１０７も混練ブレード１０１の一部と見なして説明が行われる場合がある。
【００６６】
また、本実施形態では、ドーム状カバー９３の外面に、混練ブレード１０１に並ぶように補完混練ブレード１０２（例えばドーム状カバー９３と一体的に設けられる）が固定配置されている。混練ブレード１０１が折り畳み姿勢となっている場合には、例えば図５や図７に示すように補完混練ブレード１０２は混練ブレード１０１に整列し、あたかも「く」の字形状の混練ブレード１０１のサイズが大型化したようになる。この補完混練ブレード１０２は、必ずしも設ける必要がないが、パン生地を練り上げる練り工程における混練効率を高めるために設けるのが好ましい。
【００６７】
ユニット用シャフト９１には、例えば図６に示すように、粉砕ブレード９２とシールカバー９８との間にカバー用クラッチ１０３を構成する第１係合体１０３ａが取り付けられている。例えば亜鉛ダイカストからなる第１係合体１０３ａには略矩形状（スタジアム形状）の開口１０３ａａが形成されており、この開口１０３ａａにユニット用シャフト９１の下部側の平面視略矩形状部分が嵌め込まれることにより、第１係合体１０３ａはユニット用シャフト９１に相対回転不能に取り付けられている。この第１係合体１０３ａは粉砕ブレード９２よりも先に、ユニット用シャフト９１の下側から取り付けられ、ストッパー部材９４によって、粉砕ブレード９２と共にユニット用シャフト９１からの脱落が防止されている。なお、本実施形態では、第１係合体１０３ａとシールカバー９８との間には、第１係合体１０３ａの劣化防止等を考慮してワッシャ１０４を配置する構成としているが、このワッシャ１０４は必ずしも設けなくてもよい。
【００６８】
また、混練ブレード１０１が取り付けられる支軸１００の下部側には、カバー用クラッチ１０３を構成する第２係合体１０３ｂが取り付けられている。例えば亜鉛ダイカストからなる第２係合体１０３ｂには略矩形状（スタジアム形状）の開口１０３ｂａが形成されており、この開口１０３ｂａに支軸１００の下部側の平面視略矩形状部分が嵌め込まれることにより、第２係合体１０３ｂは支軸１００に相対回転不能に取り付けられている。なお、本実施形態では、第２係合体１０３ｂの上側に、第２係合体１０３ｂの劣化防止等を考慮してワッシャ１０５を配置する構成としているが、このワッシャ１０５は必ずしも設けなくてもよい。
【００６９】
第１係合体１０３ａと第２係合体１０３ｂとで構成されるカバー用クラッチ１０３は、ブレード回転軸８２（ユニット用シャフト９１が相対回転不能に取り付けられる）の回転動力をドーム状カバー９３に伝達するか否かを切り替えるクラッチとして機能する。
【００７０】
混練ブレード１０１が折り畳み姿勢にある場合（例えば図８（ａ）、図９（ａ）の状態）、第２係合体１０３ｂの係合部１０３ｂｂは第１係合体１０３ａの係合部１０３ａｂ（本実施形態では２つあるが１つでもよい）の回転軌道に干渉する角度となる（図８（ａ）の破線参照）。このため、ユニット用シャフト９１が回転（図８（ａ）において反時計方向回転）すると、第１係合体１０３ａと第２係合体１０３ｂとは係合する。すなわち、混練ブレード１０１が折り畳み姿勢にある場合には、ブレード回転軸８２の回転動力をドーム状カバー９３に伝達することが可能になる。なお、混練ブレード１０１が折り畳み姿勢にある場合には、混練ブレード１０１の回転を規制するストッパーの働きにより、第２係合体１０３ｂは時計方向（図８（ａ）参照）に回転しない。
【００７１】
一方、混練ブレード１０１が開き姿勢にある場合（例えば図８（ｂ）、図９（ｂ）の状態）、第２係合体１０３ｂの係合部１０３ｂｂは第１係合体１０３ａの係合部１０３ａｂの回転軌道から逸脱した角度となる（図８（ｂ）の破線参照）。このために、ブレード回転軸８２が回転しても、第１係合体１０３ａと第２係合体１０３ｂは係合しない。従って、ブレード回転軸８２の回転動力はドーム状カバー９３に伝達されない。
【００７２】
例えば図５及び図６に示すように、ドーム状カバー９３には、カバー内空間とカバー外空間を連通する窓９３ｂが形成される。窓９３ｂは粉砕ブレード９２に並ぶ高さか、それよりも上の位置に配置される。なお、本実施形態では、計４個の窓９３ｂが９０°間隔で並んでいるが、それ以外の数と配置間隔を選択することもできる。
【００７３】
また、ドーム状カバー９３内面には、各窓９３ｂに対応して計４個のリブ９３ｃが形成されている（図８参照）。各リブ９３ｃはドーム状カバー９３の中心近傍から外周の環状壁まで半径方向に斜めに延び、４個合わさって一種の巴形状を構成する。また、各リブ９３ｃは、それに向かって押し寄せるパン原料に対面する側が凸となるように湾曲している。
【００７４】
また、ドーム状カバー９３の下面には、ガード１０６が着脱可能に取り付けられるようになっている。このガード１０６は、ドーム状カバー９３の下面を覆って粉砕ブレード９２にユーザの指が接近するのを阻止する。ガード１０６は、例えば耐熱性を有するエンジニアリングプラスチックによって形成され、例えばＰＰＳ（ポリフェニレンサルファイド）等の成型品とできる。なお、このガード１０６は設けなくても構わないが、ユーザの安全を確保する目的等から、設けるのが好ましい。
【００７５】
例えば図６に示すように、ガード１０６の中心には、ユニット用シャフト９１に固定されるストッパー部材９４を通すリング状のハブ１０６ａがある。また、ガード１０６の周縁には、ハブ１０６ａの外側に同心円状に設けられたリング状のリム１０６ｂがある。ハブ１０６ａとリム１０６ｂとは複数のスポーク１０６ｃで連結される。複数のスポーク１０６ｃは所定の間隔を置いて配置され、スポーク１０６ｃ同士の間は、粉砕ブレード９２によって粉砕される穀物粒を通す開口部１０６ｄとなる。開口部１０６ｄは、指が通り抜けられない程度の大きさとなっている。
【００７６】
ガード１０６のスポーク１０６ｃは、ドーム状カバー９３に取り付けられた時、粉砕ブレード９２と近接状態となる。そして、あたかも、ガード１０６が回転式電気かみそりの外刃で、粉砕ブレード９２が内刃のような形になる。
【００７７】
リム１０６ｂの周縁には、９０°間隔で計４個（この構成に限定されないのは言うまでもない）の柱１０６ｅが一体成形されている。この柱１０６ｅのガード１０６中心側を向いた側面には、一端が行き止まりになった水平な溝１０６ｅａが形成される。この溝１０６ｅａと、ドーム状カバー９３の外周に形成される突起９３ｄ（これも４５°間隔で計４個配置されている）とを係合させることによって、ガード１０６はドーム状カバー１０６に取り付けられる。
【００７８】
以上のように、本実施形態の自動製パン器１では、粉砕ブレード９２及び混練ブレード１０１を１つのユニット（ブレードユニット９０）に組み込む構成としているので、その取り扱いが便利である。ユーザは、ブレードユニット９０をブレード回転軸８２から簡単に引き抜くことが可能であり、製パン作業終了後にブレードの洗浄を手軽に行うことができる。また、ブレードユニット９０が備える粉砕ブレード９２は、ユニット用シャフト９１に着脱可能に取り付けられるものであり、その量産が行いやすく、ブレード交換等のメンテナンス性にも優れる。
【００７９】
ここで、蓋４０に着脱自在に取り付けられるパン原料収納容器１１０について、図１０〜図１２を参照しながら説明する。図１０は、本実施形態の自動製パン器が備えるパン原料収納容器の構成を示す概略斜視図で、図１０（ａ）は主に前面側を示す図、図１０（ｂ）は主に背面側を示す図である。なお、パン原料収納容器１１０が取り付けられた蓋４０が閉じられた状態において、本体１０前面側となる面をパン原料収納容器１１０の前面、本体１０背面側となる面をパン原料収納容器１１０の背面としている（以下、同様）。また、図１０（ａ）と図１０（ｂ）では、パン原料収納容器１１０の上下が逆となっている。図１１は、図１０（ａ）のＢ−Ｂ位置における概略断面図である。図１２は、本実施形態の自動製パン器が備えるパン原料収納容器にパン原料が投入される場合の、パン原料収納容器の姿勢を示す概略断面図である。なお、図１２は、パン原料収納容器を長手方向の略中央位置で切った断面図である。
【００８０】
自動製パン器１が備えるパン原料収納容器１１０は、大きくは、容器本体１１１と、容器本体１１１に対して回動可能に設けられて容器本体１１１の開口部１１１ａを開閉する容器蓋１１２と、を備えている。
【００８１】
容器本体１１１は、図１１に示すように、その断面形状が略矩形状の箱形部材であり、パン原料を投入するための投入口となる開口部１１１ａを有する。この容器本体１１１は、その内部に粉体パン原料（例えばグルテンやドライイースト等）が付着するのを抑制できるように、静電気を帯び難い、例えばアルミニウムや鉄等の金属によって形成されている。容器本体１１１の材質としてアルミニウムが選択される場合には、その表面をアルマイト処理するのが好ましい。このように構成することで、耐久性に優れる（例えば水蒸気による影響を受け難い）容器を容易に得られる。なお、アルマイト処理の上に、例えばシリコン系やフッ素系のコーティング層が施されるようにしてもよい。また、容器本体１１１は、凹凸がなるべく形成されず、滑らかに形成されるのが好ましい。
【００８２】
また、容器本体１１１には、開口部１１１ａの全周を取り囲むように、外向きに突出する鍔部（フランジ部）１１１ｂが形成されている（図１１参照）。この鍔部１１１ｂには、例えばシリコーンで構成されるパッキン１１３（シール部材の一例）が取り付けられている。パッキン１１３は、平面形状略額縁状となっており、鍔部１１１ｂ全周に取り付けられている。すなわち、パッキン１１３は、容器本体１１１の開口部１１１ａを取り囲むように容器本体１１１に取り付けられている。
【００８３】
このパッキン１１３は、より詳細には、鍔部１１１ｂを上下から挟むように取り付けられる断面略コの字状の部分１１３ａと、この断面略コの字状の部分から突出（図１１においては下方に突出）し、先端側が開口部１１１ａに向かう方向とは逆向きに向かうように折り返された薄肉の弾性部１１３ｂと、を有している。
【００８４】
パッキン１１３の固定は、パッキン１１３の略コの字状の部分１１３ａを挟み込むようにして容器本体１１１に取り付けられる固定部材１１４を用いて行われる。固定部材１１４は、平面形状略額縁状である。この固定部材１１４の材質は、特に限定されるものではないが、例えば、ガラスフィラーが分散されたポリブチレンテレフタレート（ＰＢＴ）樹脂等が選択できる。固定部材１１４は、詳細には２つのパーツで構成されている。２つのパーツは、パッキン１１３（弾性部１１３ｂは除く）及び鍔部１１１ｂを挟み込むように配置されている。そして、これら２つのパーツがネジ留めされることにより、固定部材１１４によるパッキン１１３の固定が実現されている。
【００８５】
容器蓋１１２は、例えば金属プレートを用いて形成される。容器蓋１１２を構成する金属としては、容器本体１１１の場合と同様の理由（粉体パン原料の付着を抑制）でアルミニウム等が好ましい。また、容器蓋１１１の材質としてアルミニウムが選択される場合には、その表面をアルマイト処理するのが好ましい。また、アルマイト処理の上に、例えばシリコン系やフッ素系のコーティング層が施されるようにしてもよい
容器蓋１１２は、容器本体１１１の開口部１１１ａよりやや面積が広く形成される平面視略矩形状の板状部１１２ａと、板状部１１２ａの一端側（図１０に示されるようにパン原料収納容器１１０の背面側が相当する）の両端部に設けられる一対の係合部１１２ｂ（例えば図１０（ｂ）参照）と、一対の係合部１１２ｂに挟まれるように板状部１１２ａの一端側に設けられる折曲部１１２ｃと、を有する。
【００８６】
一対の係合部１１２ｂは、容器本体１１１に対して固定状態となるように設けられる支軸１１５を中心として容器蓋１１２が回転可能となるように設けられる。この一対の係合部１１２ｂは、金属プレートの板状部１１２ａと連続する部分を外部側（容器蓋１１２が閉位置にある状態において容器本体１１１から離れる方向）に折り曲げることによって得られる。一対の係合部１１２ｂは、板状部１１２ａの板面に対して略垂直となっている。なお、一対の係合部１１２ｂのそれぞれには、板状部１１２ａの板面から所定の距離だけオフセットした位置に、支軸１１５が挿通される係合孔ＥＨ（図１２参照）が形成されている。
【００８７】
なお、パン原料収納容器１１０の背面側に設けられる支軸１１５は、次のような構成されている。支軸１１５となる棒状部を有する略Ｌ字状の板金部材を２つ用意し、これらを、背面側の両端において、固定部材１１４を構成する２つのパーツで挟み込むことによって支軸１１５を得ている。ただし、支軸１１５を得る構成はこれに限らず、例えば、容器本体１１１に支軸１１５を支える支持部を設けることによって、支軸が得られるようにしてもよい。また、支軸１１５は、場合によっては、背面側の一方の端部から他方の端部へと延びる、１本の棒であっても構わない。
【００８８】
折曲部１１２ｃは、係合部１１２ｂ同様に、金属プレートの板状部１１２ａと連続する部分を外部側に折り曲げることによって得られる。ただし、折曲部１１２ｃは、係合部１１２ｂのように急激に折り曲げられるのではなく、徐々に板面に対する折り曲げ角が大きくなるように折り曲げられている。折曲部１１２ｃの先端側の板面は、板状部１１２ａの板面に対して、略９０度となっている。この折曲部１１２ｃは、容器蓋１１２が開かれる場合に、容器蓋１１２の端部がパッキン１１３に引っ掛かったり、パッキン１１３を損傷したりするのを防止するために設けられている。
【００８９】
折曲部１１２ｃの略中央部・先端には、外部方向に斜めに突出する、平面視略矩形状の把手部１１６が設けられている。この把手部１１６は、ユーザが容器蓋１１２を開く際の操作が行い易いように設けられている。この把手部１１６は、本発明における容器蓋の周縁から外方に突出する把手部の一例である。
【００９０】
なお、把手部１１６のサイズ、形状及び設置位置は適宜変更してよい。また、本実施形態では、把手部１１６には例えばシリコーン等からなる弾性のカバー１１６ａが被せられている（図１０（ｂ）参照）。このカバー１１６ａは設けなくてもよいが、ユーザの手指等を保護するために設けるのが好ましい。また、把手部１１６は、後述のように、容器蓋１１２が開かれた際に他の部材と当接する。本実施形態のようにカバー１１６ａが被せられていると、他の部材との衝突時の衝撃が和らげられる。この点からも、把手部１１６にはカバー１１６ａを取り付けるのが好ましい。
【００９１】
パン原料収納容器１１０の前面側には、ロック機構１１８が設けられている。このロック機構１１８は、固定部材１１４に形成されている。ロック機構１１８は、ユーザが手指を載せられるように設けられた載置部１１８ａと、この載置部１１８ａから容器本体１１１の開口部１１１ａ方向に向かって突出し、閉位置にある容器蓋１１２を外面側から押さえるフック部１１８ｂと、載置部１１８ａから容器本体１１１の長手方向と略平行な方向に延びる腕部１１８ｃと、を有する構成となっている。
【００９２】
腕部１１８ｃは、容器本体１１１の深さ方向と平行な回転軸Ｃ１（図１０（ａ）参照）を中心に回動可能に、固定部材１１４に軸支されている。腕部１１８ｃは、その一端部側を図示しない付勢部材によって付勢されており、腕部１１８ｃの他端側に設けられる載置部１１８ａ及びフック部１１８ｂは、その付勢力によって、容器本体１１１の開口部１１１ａ側に向かうようになっている。
【００９３】
フック部１１８ｂは断面視略三角形状に設けられており、容器蓋１１２をフック部１１８ｂに載せた状態で、下向き（図１０（ｂ）や図１２の姿勢を前提とした表現）に力を加えると、腕部１１８ｃを付勢する付勢部材の付勢力に抗した力が発生する。このために、フック部１１８ｂに容器蓋１１２を載せて下向きに力を加えると、容器蓋１１２がフック部１１８ｂに載っている状態では、腕部１１８ｃが付勢部材の付勢力に反する力によって回転し、フック部１１８ｂが容器蓋１１２から離れる方向に移動する。そして、フック部１１８ｂに容器蓋１１２が載っていない状態になると、腕部１１８ｃが付勢部材の付勢力によって回転して容器蓋１１２側に移動するため、フック部１１８ｂは容器蓋１１２を外面側から押さえる位置に至る。これにより、ロック状態（容器蓋１１２の閉位置で維持された状態）が得られる。
【００９４】
ロック状態においては、例えば図１１に示すように、容器蓋１１２の内面外周側がパッキン１１３の弾性部１３ｂと接触した状態で鍔部１１１ｂと重なり、開口部１１１ａが完全に塞がれた状態となる。このロック状態においては、パッキン１１３によって容器本体１１１と容器蓋１１２との間がシールされているために、容器本体１１１内に外部から水分や埃等が入り込み難くなる。
【００９５】
このロック状態を解除して容器本体１１１の開口部１１１ａを開いた状態とする場合には、腕部１１８ｃが付勢力に反して回動（回転軸Ｃ１を中心とする回動）するように外部から力を付与し、フック部１１８ｂが容器蓋１１２を外面側から押さえない位置に移動するようにすればよい。これにより、容器蓋１１２が重力によって回動されるようにでき（例えば図１０（ａ）や図１１の姿勢を前提とした表現）、開口部１１１ａが開いた状態（開状態）が得られる。
【００９６】
なお、本実施形態の自動製パン器１では、操作部２０（図１参照）の下部側の本体１０内に自動投入用ソレノイド１６（後述の図１８参照）が設けられている。このソレノイド１６が駆動すると、そのプランジャーが蓋４０に隣接する本体壁面１０ａに設けられる開口１０ｂ（図１（ｂ）参照）から突出する。そして、突出したプランジャーが、蓋４０の側壁４０ａに設けられる可動部材４６（後述の図１３（ａ）参照）を押圧する。押圧された可動部材４６が動くことでロック機構１１８の腕部１１８ｃが押圧され、図示しない付勢部材の付勢力に反して腕部１１８ｃが回動する。これにより、フック部１１８ｂによる容器蓋１１２の押さえが解除され、容器蓋１１２が重力によって回動し、開口部１１１ａが開いた状態となるようになっている。
【００９７】
パン原料収納容器１１０にパン原料を投入する場合には、ユーザは次のような動作を行えばよい。まず、ユーザは、指（例えば右手親指）を載置部１１８ａに載せ、外向き（図１２の右向き）に力を加える。これにより、ロック機構１１８の腕部１１８ｃが回転し、フック部１１８ｂが容器蓋１１２の外面を押さえない位置に移動される。そして、この状態で、把手部１１６を指（例えば左手親指）で外向き（図１２の左向き）に押すことによって、容器蓋１１２が回動して開いた状態（図１２に示す状態）が得られる。なお、載置部１１８ａは、指を載せる載置面が断面視略Ｌ字状となっている（図１２参照）ために、指の掛かりがよい。
【００９８】
蓋４０に取り付けられない状態でパン原料収納容器１１０の容器蓋１１２が開かれる場合、把手部１１６（正確にはカバー１１６ａであるが、カバー１１６ａは把手部１１６の一部とみなされる）が固定部材１１４の一部に衝突して、容器蓋１１２の最大開き角度が規制される。本実施形態では、例えば、閉位置からの開き角度（回転角度）が略９５°（本発明の第１の角度の一例）となるように調整されている。このように閉位置からの開き角度を９０°より大きくすれば、図１２に示すように、パン原料収納容器１１０を台２上に置いて容器本体１１１にパン原料を入れる際に、容器蓋１１２が閉位置に向かって回動しにくい（倒れ難い）。このため、ユーザは、パン原料収納容器１１０へのパン原料の収納が行い易い。
【００９９】
次に、パン原料収納容器１１０が蓋４０にどのように取り付けられるかについて、主に、図１０、図１３、図１４を参照しながら説明する。なお、図１３は、本実施形態の自動製パン器のパン原料収納容器が取り付けられる蓋の構成を示す概略図で、図１３（ａ）は蓋を斜め下から見た場合の斜視図、図１３（ｂ）は蓋を下から見た場合の平面図である。図１４は、図１３（ｂ）のＣ−Ｃ位置における概略断面図である。なお、図１３及び図１４は、蓋４０にパン原料収納容器１１０が取り付けられ、更にパン原料収納容器１１０の容器蓋１１２が開いた状態を示している。
【０１００】
図１０に示すように、パン原料収納容器１１０の固定部材１１４には、パン原料収納容器１１０の蓋４０による保持が可能となるように、背面側に第１の取付用係合部１１９、前面側に第２の取付用係合部１２０が形成されている。
【０１０１】
第１の取付用係合部１１９は、固定部材１１４の側面から外側に向けて突出する（図１４において斜め上方に向けて突出する）第１の係合傾斜面１１９ａを有する。この第１の係合傾斜面１１９ａは、背面側の両端部近傍に、それぞれ近接して２つずつ、計４つ設けられている。ただし、この第１の係合傾斜面１１９ａ（第１の取付用係合部１１９）の数、及び配置は一例であり、適宜変更してよい。
【０１０２】
第２の取付用係合部１２０は、ハウジング部１２０ａと、ハウジング部１２０ａに、その一部が収容された取付用フック部（可動式フック部）１２０ｂと、を有する。取付用フック部１２０ｂは、ハウジング部１２０ａ内部に設けられる付勢部材１２０ｃ（図１４参照）によって、容器本体１１１の短手方向と略平行な方向外向き（図１４において左向き）に付勢されている。また、取付用フック部１２０ｂは、付勢部材１２０ｃの付勢力に抗する方向（図１４において右向き）に力を加えると、その方向に移動可能となっており、ハウジング部１２０ａからの突出量が可変となっている。
【０１０３】
図１３及び図１４に示すように、自動製パン器１の蓋４０の内部にはフレーム部材４２（例えばアルミニウム合金のダイキャスト成型品からなる）が収容され、このフレーム部材４２は、蓋４０の裏面側から内カバー４３（例えば板金製）によって支持されている。フレーム部材４２には、蓋４０が閉状態とされた場合に本体１０の背面寄りとなる部分に、ドーム状壁４２ｂによって囲まれた凹部空間４５が形成されている。この凹部空間４５が、パン原料収納容器１１０を保持する保持部となる。
【０１０４】
なお、フレーム部材４２の、蓋４０が閉状態とされた場合に本体１０の前面寄りとなる部分には、平面視略矩形状（蓋４０を裏面側から見た場合を想定）の壁部４２ａによって囲まれた貫通孔４４が設けられている。壁部４２ａは、蓋４０の上面側に配置される覗き窓４１に当接して覗き窓４１を支持する。
【０１０５】
凹部空間４５（パン原料収納容器１１０の保持部となる）内の前面（図１４において左側）には、パン原料収納容器１１０が保持部４５に保持された場合に、第２の取付用係合部１２０の取付用フック部１２０ｂと係合する係合溝４５ａが形成されている。また、この保持部４５内の背面側（図１４において右側）には、パン原料収納容器１１０が保持された場合に、パン原料収納容器１１０の第１の係合傾斜面１１９ａと略平行となって第１の係合傾斜面１１９ａに当接する、第２の係合傾斜面４５ｂが形成されている。
【０１０６】
この保持部４５内にパン原料収納容器１１０を収納する場合、ユーザは、第２の取付用係合部１２０の取付用フック部１２０ｂがハウジング部１２０ａ内に引っ込む方向の力（付勢部材１２０ｃの付勢力に反する方向の力）を付与する。そして、取付用フック部１２０ｂのハウジング部１２０ａからの突出量が減じられた状態で、パン原料収納容器１１０を第１の係合傾斜面１１９ａが第２の係合傾斜面４５ｂにぶつからないように斜めにして保持部４５内に押し込む。その後、取付用フック部１２０ｂに加えていた力を抜いて、取付用フック部１２０ｂを突出方向に移動させ、取付用フック部１２０ｂと係合溝４５ａとを係合させる。
【０１０７】
このようにして、パン原料収納容器１１０を保持部４５に嵌め込むと、蓋４０を閉状態とした場合において（図１４の状態が該当）、第１の係合傾斜面１１９ａと第２の係合傾斜面４５ｂとが当接した状態となる。そして、パン原料収納容器１１０は、第２の係合傾斜面４５ｂから鉛直方向上向き（図１４の上向き）の力と、取付用フック部１２０ｂの係合溝４５ａへの係合が解除される方向と反対方向の力（図１４の左向きの力）とを受けることになる。このため、パン原料収納容器１１０は、保持部４５内で、取付用フック部１２０ｂと係合する係合溝４５ａと、第１の係合傾斜面１１９ａに当接する第２の係合傾斜面４５ｂと、によって支持され、保持部４５に保持されることになる。
【０１０８】
なお、パン原料収納容器１１０を保持部４５から取り外す場合には、取付用フック部１２０ｂをハウジング部１２０ａに引っ込む方向に押圧して、取付用フック部１２０ｂと係合溝４５ａとの係合を解除する。そして、第１の係合傾斜面１１９ａが第２の係合傾斜面４５ｂによって邪魔されないように斜めに引き出せばよい。すなわち、ユーザは、取付用フック部１２０ｂを押すだけで、簡単に、パン原料収納容器１１０の蓋４０への取付及び取外しを行える。
【０１０９】
なお、フレーム部材４２には、パン原料収納容器１１０の着脱が行われる際に、ユーザの手指が引っ掛からないように、保持部４５の前面側と背面側とに手指が入る空間ＳＰ１、ＳＰ２が形成されている（図１３（ｂ）、図１４参照）。
【０１１０】
ところで、本実施形態の自動製パン器１のように、蓋４０の背面寄りにパン原料収納容器１１０が配置される場合には、上述したような問題が生じる。すなわち、ユーザが、パン原料収納容器１１０の容器蓋１１２が開かれた状態で蓋４０を開け、その後、蓋４０を閉めようとした場合に、パン原料収納容器１１０の容器蓋１１２がパン容器８０の鍔部８０ａの一部に引っ掛かって（自動製パン器１の背面側で当接する）蓋４０が上手く閉められないといった事態が発生することがある。本実施形態の自動製パン器１は、このような事態が発生しないように、以下に説明する工夫がなされている。
【０１１１】
図１５は、図１３（ｂ）のＤ−Ｄ位置における概略断面図である。図１６は、図１３（ｂ）の破線の楕円で囲まれた部分の、パン原料収納容器を取り除いた場合の概略平面図である。図１７は、本実施形態の自動製パン器の蓋に設けられるストッパー部の概略側面図である。なお、図１７においては、ストッパー部に当接するパン原料収納容器１１０の把手部１１６も破線で示している。
【０１１２】
図１３（ｂ）、図１５及び図１６に示されるように、フレーム部材４２の空間ＳＰ２（手指が入れられるように背面側に設けられる空間）の略中央部には、略板状に設けられ、空間ＳＰ２の背面側（自動製パン器１の蓋４０が閉じられた状態を想定）の壁部Ｗ１より突出する突出部４７が設けられている。この突出部４７は、本発明のパン原料収納容器の容器蓋の開き角度を規制するストッパー部である。
【０１１３】
パン原料の一部を自動投入するために、保持部４５に収容されたパン原料収納容器１１０の容器蓋１１２のロック状態が解除された場合、容器蓋１１２が支軸１１５を中心として回転する。そして、容器蓋１１２は、把手部１１６がストッパー部（突出部）４７に衝突して回動が停止される。すなわち、ストッパー部４７によって、容器蓋１１２の閉位置からの開き角度が規制される。
【０１１４】
本実施形態においては、ストッパー部４７は、容器蓋１１２の閉位置からの開き角度が略８５℃となるように調整されている。これにより、パン原料収納容器１１０の容器蓋１１２が開かれた状態で蓋４０を開いた後に、蓋４０を再度閉める場合に、容器蓋１１２がパン容器８０の鍔部８０ａに引っ掛かって蓋４０が上手く閉められないといった事態が発生するのを避けられる。なお、ストッパー部４７によって規制される容器蓋１１２の開き角度は、上記目的が達成される範囲で適宜変更してよい。
【０１１５】
上述のように、パン原料収納容器１１０が蓋４０に取り付けられていない状態では、容器蓋１１２の閉位置からの最大開き角度は９０°より大きい角度（本実施形態では９５°（第１の角度））とされている。これは、容器本体１１１を台２上に載せてパン原料を入れる場合に、容器蓋１１２が倒れ難いようにするためである。しかし、このように構成した場合には、ストッパー部４７を設けない場合には、蓋４０を開いた場合に容器蓋１１２の開き量（角度）が大きくなって、上述した容器蓋１１２の、パン容器８０の鍔部８０ａへの引っ掛かりが発生しやすくなる。このため、本実施形態の自動製パン器１では、ストッパー部４７を用いて、容器蓋１１２の閉位置からの開き角度が第１の角度（本実施形態では９５°）より小さい第２の角度（本実施形態では８５°）となるようにして、上述した容器蓋１１２の引っ掛かりが発生しないようにしている。
【０１１６】
ストッパー部４７は、本実施形態ではフレーム部材４２と一体的に設けている。ただし、場合によっては別部材としてもよい。また、本実施形態では、ユーザの手指を入れる空間ＳＰ２を利用してストッパー部４７を設ける構成としている。このように構成することで、ストッパー部４７を設けたことによる不要な空間が発生せず、蓋４０の大型化が避けられる。ただし、ストッパー部４７をユーザの手指を入れる空間ＳＰ２に設ける構成であるために、ストッパー部４７は極力小さい（薄い）ことが望ましい。このために、ストッパー部４７は、薄肉の略板状の突出部としている。
【０１１７】
ただし、自動製パン器１においては、パン原料収納容器１１０を用いた自動投入が行われる度に、容器蓋１１２の把手部１１６とストッパー部４７との衝突が行われることになる。このために、ストッパー部４７は強度が強いのが好ましい。そこで、図１６及び図１７に示すように、ストッパー部４７の把手部１１６と接触する箇所近傍を含む一部において、ストッパー部４７の厚みが厚くされている。具体的には、ストッパー部４７の両側面に、接触箇所近傍から略対角方向へと延びる、かまぼこ状の凸部４７ａが形成されている。これにより、ユーザの手指を入れる空間ＳＰ２におけるストッパー部４７のサイズを小さく（薄く）抑制しつつ、ストッパー部４７の強度アップが図れる。なお、ストッパー部４７は、凸部４７ａを有さない単なる板状のものであっても勿論よい。
【０１１８】
図１８は、本実施形態の自動製パン器の構成を示すブロック図である。図１８に示すように、自動製パン器１における制御動作は制御装置１３０によって行われる。制御装置１３０は、例えば、ＣＰＵ（Central Processing Unit）、ＲＯＭ（Read Only Memory）、ＲＡＭ（Random Access Memory）、Ｉ／Ｏ（input/output）回路部等からなるマイクロコンピュータ（マイコン）によって構成される。この制御装置１３０は、焼成室３０の熱の影響を受け難い位置に配置するのが好ましい。また、制御装置１３０には、時間計測機能が備えられており、パンの製造工程における時間的な制御が可能となっている。
【０１１９】
制御装置１３０には、上述の操作部２０と、焼成室３０の温度を検知する温度センサ１５と、混練モータ駆動回路１３１と、粉砕モータ駆動回路１３２と、ヒータ駆動回路１３３と、第１のソレノイド駆動回路１３４と、第２のソレノイド駆動回路１３５と、が電気的に接続されている。
【０１２０】
混練モータ駆動回路１３１は、制御装置１３０からの指令の下で混練モータ５０の駆動を制御するための回路である。また、粉砕モータ駆動回路１３２は、制御装置１３０からの指令の下で粉砕モータ６０の駆動を制御するための回路である。ヒータ駆動回路１３３は、制御装置１３０からの指令の下でシーズヒータ３１の動作を制御するための回路である。第１のソレノイド駆動回路１３４は、制御装置１３０からの指令の下で、パンの製造工程の途中で一部のパン原料を自動投入する際に駆動する自動投入用ソレノイド１６の駆動を制御するための回路である。第２のソレノイド駆動回路１３５は、制御装置１３０からの指令の下でクラッチ５６（図３参照）の状態を切り替えるクラッチ用ソレノイド７３（図３参照）の駆動を制御するための回路である。
【０１２１】
制御装置１３０は、操作部２０からの入力信号に基づいてＲＯＭ等に格納されたパンの製造コース（製パンコース）に係るプログラムを読み出し、混練モータ駆動回路１３１を介して混練モータ５０による混練ブレード１０１及び補完混練ブレード１０２の回転の制御、粉砕モータ駆動回路１３２を介して粉砕モータ６０による粉砕ブレード９２の回転の制御、ヒータ駆動回路１３３を介してシーズヒータ３１による加熱動作の制御、第１のソレノイド駆動回路１３４を介して自動投入用ソレノイド１６によるロック機構１１８の動作制御、第２のソレノイド駆動回路１３５を介してクラッチ用ソレノイド７３によるクラッチ５６の切替制御を行いながら、自動製パン器１にパンの製造工程を実行させる。
（自動製パン器の動作）
次に、以上のように構成される自動製パン器１でパンを製造する場合の動作について説明する。ここでは、自動製パン器１によって米粒を出発原料に用いてパンを製造する場合を例に、自動製パン器１の動作を説明する。
【０１２２】
米粒が出発原料に用いられる場合には、米粒用製パンコースが実行される。図１９は自動製パン器によって実行される米粒用製パンコースの流れを示す模式図である。図１９に示すように、米粒用製パンコースにおいては、浸漬工程と、粉砕工程と、休止工程と、練り（捏ね）工程と、発酵工程と、焼成工程と、がこの順番で順次に実行される。
【０１２３】
米粒用製パンコースを開始するにあたって、ユーザは、パン容器８０のブレード回転軸８２にユニット用シャフト９１を被せることによって、ブレードユニット９０をブレード回転軸８２に取り付ける。上述のように、ブレードユニット９０がガード１０６を備える構成であるために、この作業時にユーザの指が粉砕ブレード９２に触れることがなく、ユーザは安全に作業を行える。このブレードユニット９０の取り付け作業後に、ユーザは、米粒、水、調味料（例えば食塩、砂糖、ショートニング等）をそれぞれ所定量ずつ計量してパン容器８０に入れる。
【０１２４】
また、ユーザは、パンの製造途中で自動投入される一部のパン原料を計量してパン原料収納容器１１０の容器本体１１１に入れる。ユーザは、収納すべきパン原料を容器本体１１１に収納したら、ロック機構１１８を用いて、容器蓋１１２によって容器本体１１１の開口部１１１ａが閉じられた閉状態を維持するようにする。
【０１２５】
なお、パン原料収納容器１１０に収納されるパン原料としては、例えば、グルテン、ドライイースト等が挙げられる。グルテンの代わりに、例えば小麦粉、増粘剤（グアガム等）及び上新粉のうちの少なくとも１つをパン原料収納容器１１０に収納するようにしてもよい。また、グルテン、小麦粉、増粘剤、上新粉等は用いずに、例えばドライイーストのみがパン原料収納容器１１０に収納されるようにしてもよい。更に、場合によっては、例えば食塩、砂糖、ショートニングといった調味料についてもパンの製造工程の途中で自動投入すべく、例えばグルテン、ドライイーストと共に、これらの原料をパン原料収納容器１１０に収納するようにしてもよい。この場合には、パン容器８０に予め投入しておくパン原料は米粒及び水（単なる水の代わりに、例えばだし汁のような味成分を有する液体、果汁やアルコールを含有する液体等でもよい）となる。
【０１２６】
この後、ユーザは、パン容器８０を焼成室３０に入れ、更に、パン原料収納容器１１０を蓋４０の保持部４５に嵌め込む。そして、ユーザは蓋４０を閉じ、操作部２０によって米粒用製パンコースを選択し、スタートキーを押す。これにより、制御装置１３０は、米粒を出発原料に用いてパンを製造する米粒用製パンコースの制御動作を開始する。
【０１２７】
米粒用製パンコースがスタートされると、制御装置１３０の指令によって浸漬工程が開始される。浸漬工程では、パン容器８０に予め投入されたパン原料が静置状態とされ、この静置状態が予め定められた所定時間（本実施形態では３０分）維持される。この浸漬工程は、米粒に水を含ませることによって、その後に行われる粉砕工程において、米粒を芯まで粉砕しやすくすることを狙う工程である。
【０１２８】
なお、米粒の吸水速度は水の温度によって変動し、水温が高いと吸水速度が高まり、水温が低いと吸水速度が低下する。このために、浸漬工程の時間は、例えば自動製パン器１が使用される環境温度等によって変動させるようにしてもよい。これにより、米粒の吸水度合いのばらつきを抑制することが可能になる。また、浸漬時間を短時間とするために、シーズヒータ３１に通電して、焼成室３０の温度が高められるようにしてもよい。
【０１２９】
また、浸漬工程の初期段階で粉砕ブレード９２が回転されるようにしてもよく、更に、その後も、断続的に粉砕ブレード９２が回転されるようにしてもよい。このようにすると、米粒の表面に傷をつけることができ、米粒の吸液効率が高められる。
【０１３０】
上記所定時間が経過すると、制御装置１３０の指令によって、浸漬工程が終了され、米粒を粉砕する粉砕工程が開始される。この粉砕工程では、米粒と水とが含まれる混合物の中で粉砕ブレード９２が高速回転（例えば７０００〜８０００ｒｐｍ）される。この粉砕工程では、制御装置１３０は、粉砕モータ６０を制御してブレード回転軸８２を逆方向回転（図８では時計方向回転、図９では反時計方向回転）させる。ブレード回転軸８２の逆方向回転により、粉砕ブレード９２の切削部９２１、９２２の刃部分（切削刃）が回転方向前方となるために、この逆方向回転により粉砕機能が得られる。
【０１３１】
なお、粉砕モータ６０を用いて粉砕ブレード９２を回転させる場合、制御装置１３０は、クラッチ用ソレノイド７３を駆動させて、クラッチ５６が動力遮断を行うようにする（図３（ａ）の状態とする）。上述したように、このように制御しないとモータ破損の可能性があるからである。また、粉砕ブレード９２は、粉砕工程の初期段階では低速で回転され、その後、高速回転されるようにするのが好ましい。
【０１３２】
粉砕ブレード９２を回転させるために、ブレード回転軸８２が逆方向回転された場合、ドーム状カバー９３もパン容器８０内の米粒と水を含む混合物の流れによって逆方向回転しようとするが、次のような動作によってドーム状カバー９３の逆方向回転は阻止（停止）される。
【０１３３】
ブレード回転軸８２が逆方向回転された時点で混練ブレード１０１が折り畳み姿勢（図９（ａ）に示す姿勢）であった場合、カバー用クラッチ１０３の第１係合体１０３ａ（係合部１０３ａｂ）が第２係合体１０３ｂ（係合部１０３ｂｂ）と接触し、混練ブレード１０１は開き姿勢（図９（ｂ）に示す姿勢）となる方向に回転される。また、混練ブレード１０１は、ドーム状カバー９３の逆方向回転（図９において反時計方向回転）に伴ってパン容器８０内の混合物から抵抗を受け、これによっても開き姿勢となる方向に回転される。
【０１３４】
混練ブレード１０１が開き姿勢になると、第２係合体１０３ｂが第１係合体１０３ａの回転軌道（図８の破線参照）から逸脱する。このために、カバー用クラッチ１０３は、ブレード回転軸８２とドーム状カバー９３との連結を切り離す。また、開き姿勢になった混練ブレード１０１は、図９（ｂ）に示すように、その一部（正確には、先端側に設けられる緩衝材１０７）がパン容器８０の内側壁（詳細には粉砕効率を向上するためにパン容器８０の内壁に設けられた畝状の凸部８０ｂ）に当接するために、ドーム状カバー９３の回転は阻止（停止）される。
【０１３５】
なお、粉砕工程においては、粉砕ブレード９２の回転中に振動が発生するが、緩衝材１０７がパン容器８０と接触する構成を採用しているために、この振動によって生じる衝突音が緩和されるようになっている。
【０１３６】
粉砕工程における米粒の粉砕は、先に行われた浸漬工程によって米粒に水が浸み込んだ状態で実行されるために、米粒を芯まで容易に粉砕することができる。粉砕工程における粉砕ブレード９２の回転は本実施形態では間欠回転とされる。この間欠回転は、例えば３０秒回転して５分間停止するというサイクルで行われ、このサイクルが１０回繰り返される。なお、最後のサイクルでは、５分間の停止は行わない。粉砕ブレード９２の回転は連続回転としてもよいが、例えばパン容器８０内の原料温度が高くなり過ぎることを防止する等の目的のために、間欠回転とするのが好ましい。
【０１３７】
粉砕工程においては、米粒の粉砕が回転停止したドーム状カバー９３内で行われるから、米粒がパン容器８０の外に飛び散る可能性が低い。また、回転停止状態にあるガード１０６の開口部１０６ｄからドーム状カバー９３内に入る米粒は、静止したスポーク１０６ｃと回転する粉砕ブレード９２との間でせん断されるので、効率良く粉砕が行える。また、ドーム状カバー９３に設けられるリブ９３ｃによって、米粒と水とが含まれる混合物の流動（粉砕ブレード９２の回転と同方向の流動である）が適度に抑制されるので、効率良く粉砕が行える。
【０１３８】
また、粉砕された米粒と水とを含む混合物は、ドーム状カバー９３のリブ９３ｃによって窓９３ｂの方向に誘導されて、窓９３ｂからドーム状カバー９３の外に排出される。ドーム状カバー９３のリブ９３ｃは、それに向かって押し寄せる混合物に対向する側が凸となるように湾曲しているので、混合物はリブ９３ｃの表面に滞留しにくく、スムーズに窓９３ｂの方へ流れていく。更に、ドーム状カバー９３内部から混合物が排出されるのと入れ替わりに、凹部８１の上の空間に存在していた混合物が凹部８１に入り、凹部８１からガード１０６の開口部１０６ｄを通ってドーム状カバー９３内に入いる。このような循環をさせつつ粉砕ブレード９２による粉砕が行われるので、効率良く粉砕が行える。
【０１３９】
なお、自動製パン器１においては所定の時間（本実施形態では５０分）で粉砕工程が終了するようにしている。しかしながら、米粒の硬さのばらつきや環境条件によって粉砕粉の粒度にばらつきが生じることがある。このため、粉砕工程の終了が、粉砕モータ６０の負荷の大きさ（例えば、モータの制御電流等で判断できる）を指標に判断される構成等としても構わない。
【０１４０】
粉砕工程が終了すると、制御装置１３０の指令によって休止工程が実行される。この休止工程は、粉砕工程によって上昇したパン容器８０内の内容物の温度を下げる冷却期間として設けられている。温度を下げるのは、次に行われる練り工程が、イーストが活発に働く温度（例えば３０℃前後）で実行されるようにするためである。本実施形態では、休止工程は所定時間（３０分）とされているが、場合によっては、パン容器８０の温度等が所定の温度となるまで、休止工程が行なわれる構成等としても構わない。
【０１４１】
休止工程が終了すると、制御装置１３０の指令によって練り工程が開始される。練り工程の開始にあたって、制御装置１３０はクラッチ用ソレノイド７３を駆動して、クラッチ５６が動力伝達を行うようにする（図３（ｂ）の状態）。そして、制御装置１３０は混練モータ５０を制御してブレード回転軸８２を正方向回転（図８では反時計方向回転、図９では時計方向回転）させる。なお、粉砕工程と練り工程ではブレード回転軸８２の回転方向は逆である。
【０１４２】
ブレード回転軸８２を正方向回転させると、粉砕ブレード９２も正方向に回転する。この場合、粉砕ブレード９２は、切削部９２１、９２２の刃部分（切削刃）が回転方向後方となって回転し、粉砕機能を発揮しない。粉砕ブレード９２の回転により、粉砕ブレード９２の周囲のパン原料が正方向（図９では時計方向）に流動する。それにつられてドーム状カバー９３が正方向に動くと、混練ブレード１０１は流動していないパン原料から抵抗を受けて、開き姿勢（図９（ｂ）参照）から折り畳み姿勢（図９（ａ）参照）へと角度を変えて行く。これにより、第２係合体１０３ｂが第１係合体１０３ａの回転軌道（図８の破線参照）に干渉する角度となる。そして、カバー用クラッチ１０３がブレード回転軸８２とドーム状カバー９３とを連結し、ドーム状カバー９３はブレード回転軸８２によって本格的に駆動される態勢に入る。ドーム状カバー９３と折り畳み姿勢になった混練ブレード１０１とは、ブレード回転軸８２とともに正方向回転する。
【０１４３】
なお、以上に説明したカバー用クラッチ１０３の連結を確実に行うために、練り工程初期におけるブレード回転軸８２の回転は、間欠回転或いは低速回転とするのが好ましい。また、上述のように、混練ブレード１０１が折り畳み姿勢になると、混練ブレード１０１の延長上に補完混練ブレード１０２が並ぶために、混練ブレード１０１があたかも大型化したかのようになって、パン原料は力強く押される。このため、生地の練り上げをしっかり行える。
【０１４４】
混練ブレード１０１（この用語は、折り畳み姿勢においては、補完混練ブレード１０２を含む表現として用いる。以下同様。）の回転は、練り工程の初期においては非常にゆっくりとされ、段階的に速度が速められるように制御装置１３０によって制御される。混練ブレード１０１の回転が非常にゆっくりである練り工程の初期段階において、制御装置１３０は自動投入用ソレノイド１６を駆動させて、パン原料収納容器１１０のロック機構１１８の腕部１１８ｃを回動させる。これにより、フック部１１８ｂが容器蓋１１２を押さえた状態が解除され、容器蓋１１２が重力によって回動する。すなわち、容器本体１１１の開口部１１１ａが開かれて、例えば、グルテン、ドライイースといったパン原料がパン容器８０内に自動投入される。
【０１４５】
なお、蓋４０が閉じられた状態において、覗き窓４１が前面側となり、パン原料収納容器１１０が背面側となるように構成されている。そして、パン原料収納容器１１０の容器蓋１１２は、背面側に向けて回動してその板状面が鉛直方向に近い状態（正確には鉛直方向に対してやや傾いた状態である。図１４参照）となる。このため、パン原料収納容器１１０を用いた自動投入が行われた後においても、覗き窓４１を利用した、パン容器８０内の様子の観察が行い難くなるということはない。
【０１４６】
また、パン原料収納容器１１０から一部のパン原料が自動投入された場合に、パン原料の自動投入がきちんと行えたか否かに確認するために、ユーザが蓋４０を開けることが考えられる。しかし、自動製パン器１では、蓋４０に設けられるストッパー部４７の働きにより、パン原料収納容器１１０の容器蓋１１２が開きすぎないように調整されている。このために、開けた蓋４０を閉める場合に、パン原料収納容器１１０の容器蓋１１２がパン容器８０の鍔部８０ａに引っ掛かって蓋４０が閉め難いといった事態が発生しない。また、パン原料収納容器１１０の容器蓋１１２とパン容器８０との接触が避けられるために、これらに傷が発生する可能性が抑制される。
【０１４７】
また、本実施形態では、パン原料収納容器１１０に収納されるパン原料を、混練ブレード１０１が回転している状態で投入することにしているが、これに限定されず、混練ブレード１０１が停止している状態で投入してもよい。ただし、本実施形態のように、混練ブレード１０１が回転している状態でパン原料を投入するようにした方が、パン原料を均一に分散することができるので好ましい。
【０１４８】
パン原料収納容器１１０に収納されたパン原料がパン容器８０に投入された後は、混練ブレード１０１の回転によって、パン原料は所定の弾力を有する一つにつながった生地（dough）に練り上げられていく。混練ブレード１０１が生地を振り回してパン容器８０の内壁にたたきつけることにより、混練に「捏ね」の要素が加わることになる。混練ブレード１０１の回転によりドーム状カバー９３も回転する。ドーム状カバー９３が回転すると、ドーム状カバー９３に形成されるリブ９３ｃも回転するために、ドーム状カバー９３内のパン原料は速やかに窓９３ｂから排出され、混練ブレード１０１が混練しているパン原料の塊（生地）に同化する。
【０１４９】
なお、練り工程においては、ドーム状カバー９３と共にガード１０６も正方向に回転する。ガード１０６のスポーク１０６ｃは、正方向回転時、ガード１０６の中心側が先行しガード１０６の外周側が後続する形状とされている。このために、ガード１０６は、正方向に回転することにより、ドーム状カバー９３内外のパン原料（パン生地）をスポーク１０６ｃで外側に押しやる。これにより、パンを焼き上げた後に廃棄分となる原料の割合を減らすことができる。
【０１５０】
また、ガード１０６の柱１０６ｅは、ガード１０６が正方向に回転するときに回転方向前面となる側面１０６ｅｂが、上向きに傾斜する構成となっている。このために、混練時、ドーム状カバー９３の周囲のパン原料（パン生地）が柱１０６ｅの側面１０６ｅｂで上方に跳ね上げられる。跳ね上げられたパン原料は、上方のパン原料の塊（生地）に同化するために、パンを焼き上げた後に廃棄分となる原料の割合を減らすことができる。
【０１５１】
自動製パン器１においては、練り工程の時間は、所望の弾力を有するパン生地が得られる時間として実験的に求められた所定の時間（本実施形態では１０分）を採用する構成としている。ただし、練り工程の時間を一定とすると、環境温度等によってパン生地の出来上がり具合が変動する場合がある。このため、例えば、混練モータ５０の負荷の大きさ（例えば、モータの制御電流等で判断できる）を指標に、練り工程の終了時点が判断される構成等としても構わない。
【０１５２】
なお、具材（例えばレーズン、ナッツ、チーズ等）入りのパンを焼く場合には、この練り工程の途中で投入するようにすればよい。
【０１５３】
練り工程が終了すると、制御装置１３０の指令によって発酵工程が開始される。この発酵工程では、制御装置１３０はシーズヒータ３１を制御して、焼成室３０の温度を、発酵が進む温度（例えば３８℃）に維持する。そして、発酵が進む環境下で所定の時間（本実施形態では６０分）放置される。
【０１５４】
なお、場合によっては、この発酵工程の途中で、混練ブレード１０１を回転してガス抜きや生地を丸める処理を行うようにしても構わない。
【０１５５】
発酵工程が終了すると、制御装置１３０の指令によって焼成工程が開始される。制御装置１３０はシーズヒータ３１を制御して、焼成室３０の温度を、パン焼きを行うのに適した温度（例えば１２５℃）まで上昇させる。そして、制御装置１３０は、焼成環境下で所定の時間（本実施形態では５０分）パンを焼くように制御する。焼成工程の終了については、例えば操作部２０の液晶表示パネルにおける表示や報知音等によってユーザに知らされる。ユーザは、製パン完了を検知すると、蓋４０を開けてパン容器８０を取り出して、パンの製造を完了させる。
【０１５６】
なお、パン容器８０内のパンは、例えば、パン容器８０の開口を斜め下に向けることで取り出すことができる。そして、このパンの取り出しと同時に、ブレード回転軸８２に取り付けられたブレードユニット９０もパン容器８０から取り出される。ガード１０６の存在により、このパンの取り出し作業時にユーザは粉砕ブレード９２に触れることがなく、ユーザは安全にパンの取り出し作業を行える。パンの底には、ブレードユニット９０の混練ブレード１０１及び補完混練ブレード１０２（パン容器８０の凹部８１から上側に突き出ている）の焼き跡が残る。しかし、ドーム状カバー９３とガード１０６が凹部８１の中に収容される構成であるために、それらがパンの底に大きな焼き跡を残すようなことは抑制される。
（その他）
以上に示した自動製パン器の実施形態は本発明の一例であり、本発明が適用される自動製パン器の構成は、以上に示した実施形態に限定されるものではない。
【０１５７】
例えば、以上に示した実施形態では、蓋４０に設けられるストッパー部４７が、パン原料収納容器１１０が蓋４０に取り付けられる際にユーザの手指が入る空間ＳＰ２内に設けられる構成とした。しかし、本発明はこの構成に限定されるものではない。すなわち、パン原料収納容器１１０の容器蓋１１２の開き角度を規制するストッパー部は、蓋４０の別の位置に設けられても構わない。この場合、勿論、ストッパー部の形状は、本実施形成の形状とは異なるものとしてよい。
【０１５８】
また、以上に示した実施形態では、パン原料収納容器１１０の容器蓋１１２の開き角度を規制するストッパー部４７は、容器蓋１１２の把手部１１６と当接して容器蓋１１２の開き角度を規制するように設けられている。しかし、本発明はこの構成に限定されるものではない。すなわち、パン原料収納容器１１０の容器蓋１１２の開き角度を規制するストッパー部は、容器蓋１１２の把手部１１６以外の箇所に当接されるようにしても構わない。この場合、勿論、ストッパー部の形状は、本実施形成の形状とは異なるものとしてよい。
【０１５９】
また、以上においては、自動製パン器１によって、米粒を出発原料としてパンを製造する場合を示したが、自動製パン器１は例えば小麦粉や米粉等の穀物粉を出発原料としてパンを製造することも可能である（この場合、製パン工程は適宜変更される）。そして、小麦粉や米粉を出発原料に用いてパンを製造する場合には、パン原料収納容器１１０はレーズンやナッツ等の具材入りパンを製造する場合の具材を入れるために用いることも可能である。
【０１６０】
また、以上に示した実施形態においては、米粒が出発原料として用いられる場合を例に、自動製パン器の構成及び動作が説明された。しかし、本発明は、例えば小麦、大麦、粟、稗、蕎麦、とうもろこし、大豆等の米粒以外の穀物粒が出発原料として用いられる場合にも、適用可能である。
【０１６１】
また、以上に示した米粒用製パンコースの製造フローは例示であり、米粒用製パンコースは他の製造フローとしてもよい。一例を挙げると、粉砕工程後の休止工程は省いてもよい。
【０１６２】
また、以上に示した実施形態では、粉砕ブレード９２及び混練ブレード１０１がブレードユニット９０に含まれ、ブレード回転軸８２に一体的に取り付けられる（取り外される）構成とした。しかし、この構成に限らず、粉砕ブレード９２及び混練ブレード１０１は、別々にブレード回転軸８２に取り付けられる構成であっても構わない。また、場合によっては、粉砕ブレードと混練ブレードとを別々とせず、粉砕機能と混練機能とを発揮する１つのブレードのみを備える構成等としても構わない。
【０１６３】
また、以上に示した実施形態では、粉砕ブレード９２によって穀物粒が粉砕される場合と、混練ブレード１０１によってパン生地が練り上げられる場合とで、別々のモータが使用される構成とした。しかし、本発明の自動製パン器は、この構成に限定される趣旨ではない。すなわち、例えば１つのモータのみが備えられる構成とし、粉砕ブレード９２によって穀物粒が粉砕される場合と、混練ブレード１０１によってパン生地が練り上げられる場合とで、同一のモータを使用する構成としても構わない。
【０１６４】
また、本発明は、穀物粒を出発原料としてパンを製造する自動製パン器に好適ではあるが、穀物粉（例えば小麦粉、米粉等）を出発原料としてパンを製造する自動製パン器（穀物粒を出発原料としてパンを製造することができないもの）にも勿論適用可能な技術である。穀物粉を出発原料としてパンを製造する自動製パン器は、例えばレーズン、ナッツ、チーズ等の具材（パン原料の一部）を自動投入するために自動投入用容器を備える場合がある。
【０１６５】
また、以上に示した実施形態における自動製パン器１では、発酵工程や焼成工程が行えるように構成されている。しかしながら、本発明の自動製パン器は、このような構成のものに限定される趣旨ではない。例えば、発酵機能及び焼成機能がない自動製パン器や、発酵機能を有して焼成機能がない自動製パン器等も、本発明の範囲に含まれる。このような構成の場合には、自動製パン器を用いた後に、オーブン等の焼成装置を用いてパンを焼き上げることになる。
【産業上の利用可能性】
【０１６６】
本発明は、家庭用の自動製パン器に好適である。
【符号の説明】
【０１６７】
１  自動製パン器
１０  本体
４０  蓋（蓋体）
４７  ストッパー部
８０  パン容器
１１０  パン原料収納容器
１１１  容器本体
１１１ａ  開口部
１１２  容器蓋
１１６  把手部
ＳＰ２  ユーザの手指が入る空間
Ｗ１  壁部
【図１】
2012130498.tif 000003
【図２】
2012130498.tif 000004
【図３】
2012130498.tif 000005
【図４】
2012130498.tif 000006
【図５】
2012130498.tif 000007
【図６】
2012130498.tif 000008
【図７】
2012130498.tif 000009
【図８】
2012130498.tif 000010
【図９】
2012130498.tif 000011
【図１０】
2012130498.tif 000012
【図１１】
2012130498.tif 000013
【図１２】
2012130498.tif 000014
【図１３】
2012130498.tif 000015
【図１４】
2012130498.tif 000016
【図１５】
2012130498.tif 000017
【図１６】
2012130498.tif 000018
【図１７】
2012130498.tif 000019
【図１８】
2012130498.tif 000020
【図１９】
2012130498.tif 000021